(57)【要約】 【課題】  一方の基板側に行電極対と列電極の双方が配置されたＰＤＰにおいて、放電開始電圧の上昇と誤放電の発生を防止する。【解決手段】  前面ガラス基板１側に行電極対（Ｘ１，Ｙ１）と列電極Ｄ１の双方が配置されるＰＤＰにおいて、バス電極Ｘ１ｂ，Ｙ１ｂが、その列電極本体部Ｄ１ａと交差する部分Ｘ１ｂ１，Ｙ１ｂ１の幅ａ１が交差部分以外の部分の幅ａ２よりも小さくなるように成形され、列電極本体部Ｄ１ａが、そのバス電極Ｘ１ｂ，Ｙ１ｂと交差する部分Ｄ１ａ１の幅ｂ１が交差部分以外の部分の幅ｂ２よりも小さくなるように成形されている。【選択図】    図７
2006294461.tif 000002
【特許請求の範囲】
【請求項１】
放電空間を介して互いに対向する一対の基板と、この一対の基板のうちの一方の基板側に配置されて行方向に延びるとともに列方向に並設された複数の行電極対と、この行電極対に対して誘電体層を介して離間した位置に配置されて列方向に延びるとともに行方向に並設された複数の列電極とを備え、行電極対と列電極によってそれぞれ放電が行われる複数の単位発光領域が放電空間内にマトリクス状に形成されたプラズマディスプレイパネルにおいて、
前記行電極対を構成する行電極と列電極の誘電体層を介して互いに交差する部分の少なくとも一方の電極の幅が、電極の交差部分以外の部分の幅に比べて小さくなっていることを特徴とするプラズマディスプレイパネル。
【請求項２】
行電極と列電極の少なくとも一方の電極の交差部分が括れた形状に成形されることによって、この交差部分の幅が交差部分以外の部分の幅よりも小さくなっている請求項１に記載のプラズマディスプレイパネル。
【請求項３】
行電極と列電極の少なくとも一方の電極の交差部分にスリットが形成されることによって、この交差部分の幅が交差部分以外の部分の幅よりも小さくなっている請求項１に記載のプラズマディスプレイパネル。
【請求項４】
行電極と列電極のうち一方の電極の交差部分が括れた形状に成形されることによってこの交差部分の幅が交差部分以外の部分の幅よりも小さくなっており、他方の電極の交差部分にスリットが形成されることによってこの交差部分の幅が交差部分以外の部分の幅よりも小さくなっている請求項１に記載のプラズマディスプレイパネル。
【請求項５】
前記行電極が、行方向に延びる行電極本体部と、この行電極本体部から単位発光領域ごとに行電極対の他方の行電極側に突出して互いに放電ギャップを介して対向される行電極放電部とを有し、
前記列電極が、列方向に延びる列電極本体部と、この列電極本体部から単位発光領域に対向する位置に向かって延びる列電極放電部とを有し、
前記行電極本体部が誘電体層内の基板と平行な第１平面内に配置され、列電極本体部が誘電体層内の基板と平行な第１平面と異なる第２平面内に配置されている請求項１に記載のプラズマディスプレイパネル。
【請求項６】
前記行電極本体部と列電極本体部の誘電体層を介して交差する部分の少なくとも一方の電極本体部の幅が、電極本体部の交差部分以外の部分の幅に比べて小さくなっている請求項５に記載のプラズマディスプレイパネル。
【請求項７】
少なくとも前記行電極放電部と列電極放電部とが、誘電体層内において基板と平行な同一の平面内に配置されている請求項５に記載のプラズマディスプレイパネル。
【発明の詳細な説明】
【技術分野】
【０００１】
この発明は、プラズマディスプレイパネルのパネル構造に関する。
【背景技術】
【０００２】
一般に、前面ガラス基板側に行電極対が形成され背面ガラス基板側に列電極が形成された従来の三電極型プラズマディスプレイパネル（以下、ＰＤＰという）は、前面ガラス基板と背面ガラス基板の間において行電極対と列電極の位置関係に高い精度が要求される等の理由によって製造コストが高くなり、さらに、行電極と列電極の間の放電ギャップが大きくなって、この間で発生されるアドレス放電の放電開始電圧が大きくなってしまう等の問題を有している。
【０００３】
このため、近年、製造コストの低廉化を図るとともにアドレス放電開始電圧を低下させるために、行電極対と列電極の双方を一方のガラス基板側に形成する構成のＰＤＰが提案されている。
【０００４】
図１は、このような行電極対と列電極の双方を一方の基板側に形成した従来のプラズマディスプレイパネルの構造を示す正面図である。
【０００５】
この図１において、プラズマディスプレイパネルは、図示しない前面ガラス基板の内面側に、それぞれ対になった行電極ＸとＹによって構成されるが複数の行電極対（Ｘ，Ｙ）が行方向に延び列方向に並設されて、この行電極対（Ｘ，Ｙ）が図示しない一層目の誘電体層によって被覆され、この一層目の誘電体層の内面側に、複数の列電極Ｄの本体部Ｄａが列方向に延び行方向に等間隔に並設されて、この列電極Ｄの本体部Ｄａが図示しない二層目の誘電体層によって被覆された構成になっている。
【０００６】
そして、各列電極Ｄの放電部Ｄｂが、この放電部Ｄｂとの間でアドレス放電を行う行電極対（Ｘ，Ｙ）の行電極ＸまたはＹと同一平面内において対向するように配置されている。
【０００７】
しかしながら、上述のような前面ガラス基板側に行電極対と列電極の双方が配置されたＰＤＰにおいては、行電極対と列電極がそれぞれ前面ガラス基板と背面ガラス基板に分けて配置される構成のＰＤＰに比べて、行電極と列電極の間の距離が短くなり、この行電極と列電極の誘電体層を介して交差する部分に形成される静電容量が非常に大きくなって、行電極と列電極に電圧が印加されてアドレス放電が行われる際に発生する無効電力が増加し、消費電力が増大するという問題が発生する。
【０００８】
さらに、上述した構成のＰＤＰは、行電極と列電極の間の距離が短かいために、行電極対の行電極に交互に電圧が印加されてこの行電極間においてサステイン放電が発生される際に、電圧の印加によって形成される電界が行電極と列電極の交差部分に集中して、行電極間に十分な電界が形成され難くなり、この結果、サステイン放電の開始電圧が上昇してしまうという問題が発生する。
【０００９】
【特許文献１】特開平１０−３２１１４５号公報
【発明の開示】
【発明が解決しようとする課題】
【００１０】
この発明は、上記のような従来の一方の基板側に行電極対と列電極の双方が配置されたＰＤＰにおいて発生する問題点を解決することをその技術的課題の一つとしている。
【課題を解決するための手段】
【００１１】
この発明によるＰＤＰは、上記目的を達成するために、放電空間を介して互いに対向する一対の基板と、この一対の基板のうちの一方の基板側に配置されて行方向に延びるとともに列方向に並設された複数の行電極対と、この行電極対に対して誘電体層を介して離間した位置に配置されて列方向に延びるとともに行方向に並設された複数の列電極とを備え、行電極対と列電極によってそれぞれ放電が行われる複数の単位発光領域が放電空間内にマトリクス状に形成されたプラズマディスプレイパネルにおいて、前記行電極対を構成する行電極と列電極の誘電体層を介して互いに交差する部分の少なくとも一方の電極の幅が、電極の交差部分以外の部分の幅に比べて小さくなっていることを特徴としている。
【発明を実施するための最良の形態】
【００１２】
この発明によるＰＤＰは、前面ガラス基板側に行電極対と列電極の双方が配置されるＰＤＰにおいて、各行電極が、行方向に延びるバス電極とこのバス電極から放電セルごとに列方向に突出して放電を発生させる透明電極とによって構成され、列電極が、列方向に延びる列電極本体部とこの列電極本体部から放電セルごとに行電極の透明電極に近接する位置に向かって延びる列電極放電部とによって構成され、バス電極と列電極本体部が、このバス電極と列電極本体部の誘電体層を挟んで互いに交差する部分のバス電極と列電極本体部のそれぞれの長手方向と直交する方向の幅がそれぞれの交差部分以外の部分の幅よりも小さくなるように成形されているＰＤＰを、その最良の実施形態としている。
【００１３】
上記実施形態のＰＤＰは、バス電極と列電極本体部の互いの交差部分の幅が他の部分の幅よりも小さくなっていることによって、バス電極と列電極本体部に放電発生のための電圧が印加された際に、このバス電極と列電極本体部の交差部分においてバス電極と列電極本体部との間にそれぞれ形成される静電容量が、バス電極および列電極本体部の幅がそれぞれ全長に亘って同じ幅になるように形成されている従来のＰＤＰの場合に比べて、大幅に小さくなる。
【００１４】
したがって、ＰＤＰ駆動時のアドレス期間において行電極に走査パルスが印加され列電極にデータ・パルスが印加されてアドレス放電が発生される際に、バス電極と列電極本体部の交差部分に形成される静電容量によって発生する無効電力が、従来のＰＤＰに比べて大幅に減少し、これによって、消費電力が低減される。
【００１５】
さらに、サステイン期間において対になっている行電極に交互にサステイン・パルスが印加されてサステイン放電が発生される際に、各バス電極と列電極本体部の交差部分に集中して電界が形成されるのが防止されて、行電極対の透明電極間に十分な電界が形成されるようになるので、サステイン放電の放電開始電圧が上昇するのが防止される。
【実施例１】
【００１６】
図２ないし６は、この発明によるＰＤＰの実施形態における第１実施例を示しており、図２はこの第１実施例におけるＰＤＰを模式的に示す正面図、図３は図２のＶ１−Ｖ１線における断面図，図４は図２のＶ２−Ｖ２線における断面図，図５は図２のＷ−Ｗ線における断面図，図６は同例の電極が配置された基板を背面側から見た斜視図である。
【００１７】
この図２ないし５において、表示面を構成する前面ガラス基板１の背面に、複数の行電極対（Ｘ１，Ｙ１）が、前面ガラス基板１の行方向（図２の左右方向）に延びるように平行に配列されている。
【００１８】
行電極Ｘ１は、Ｔ字形状に形成されたＩＴＯ等の透明導電膜からなる透明電極Ｘ１ａと、前面ガラス基板１の行方向に延びて透明電極Ｘ１ａの幅狭の基端部に接続された黒色または暗色の金属膜からなるバス電極Ｘ１ｂによって構成されている。
【００１９】
行電極Ｙ１も同様に、Ｔ字形状に形成されたＩＴＯ等の透明導電膜からなる透明電極Ｙ１ａと、前面ガラス基板１の行方向に延びて透明電極Ｙ１ａの幅狭の基端部に接続された黒色または暗色の金属膜からなるバス電極Ｙ１ｂによって構成されている。
【００２０】
この行電極Ｘ１とＹ１は、前面ガラス基板１の列方向（図２の上下方向）に交互に配列されており、バス電極Ｘ１ｂとＹ１ｂに沿って等間隔に並列されたそれぞれの透明電極Ｘ１ａとＹ１ａが互いに対となる相手の行電極側に延びて、透明電極Ｘ１ａとＹ１ａの幅広の頂辺が、それぞれ所要の間隔の放電ギャップｇを介して互いに対向されている。
【００２１】
この各行電極対（Ｘ１，Ｙ１）によって、パネルの一表示ラインＬが構成される。
【００２２】
この行電極Ｘ１，Ｙ１の形状については、後で詳述する。
【００２３】
そして、この前面ガラス基板１の背面に第１誘電体層３が形成されて、行電極対（Ｘ１，Ｙ１）が被覆されている。
【００２４】
この第１誘電体層３の背面側には、列電極Ｄ１を構成する帯状の列電極本体部Ｄ１ａが、行電極Ｘ１，Ｙ１のバス電極Ｘ１ｂ，Ｙ１ｂに沿って行方向に等間隔に並ぶ透明電極Ｘ１ａ，Ｙ１ａのそれぞれの中間位置に対向する位置において行電極対（Ｘ１，Ｙ１）と直交する方向（列方向）に延びるように、互いに所定の間隔を開けて平行に配列されている。
【００２５】
この第１誘電体層３の背面側には、さらに、列電極Ｄ１を構成する帯状の列電極放電部Ｄ１ｂが、その先端部がそれぞれ行電極対（Ｘ１，Ｙ１）の各透明電極Ｘ１ａとＹ１ａ間の放電ギャップｇの中間位置に対向する位置に位置されるように、表示ラインＬごとに、各列電極本体部Ｄ１ａの側部から行方向に延びるように一体的に形成されている。
【００２６】
この列電極Ｄ１の形状については、後で詳述する。
そして、第１誘電体層３の背面に第２誘電体層４が形成されて、この列電極Ｄ１の列電極本体部Ｄ１ａと列電極放電部Ｄ１ｂが被覆されている。
【００２７】
この第２誘電体層４の背面側には、互いに隣接する行電極対（Ｘ１，Ｙ１）の背中合わせに位置するバス電極Ｘ１ｂとＹ１ｂに対向する位置に、第２誘電体層４の背面側に突出する嵩上げ誘電体層４Ａが、バス電極Ｘ１ｂ，Ｙ１ｂに沿って行方向に延びるように形成されている。
【００２８】
そして、この第２誘電体層４と嵩上げ誘電体層４Ａの背面側には、ＭｇＯからなる図示しない保護層が形成されている。
【００２９】
一方、前面ガラス基板１と放電空間を介して対向する背面ガラス基板５の表示側の面上には、前面ガラス基板１側の列電極本体部Ｄ１ａと対向する位置にそれぞれ列方向に延びるように形成された帯状の縦壁６Ａと、互いに隣接する行電極対（Ｘ１，Ｙ１）の背中合わせに位置するバス電極Ｘ１ｂとＹ１ｂに対向する位置にそれぞれ行方向に延びるように形成された帯状の横壁６Ｂとによって構成される略格子状の隔壁６が形成されており、この隔壁６によって、前面ガラス基板１と背面ガラス基板５の間の放電空間が、各行電極対（Ｘ１，Ｙ１）において対となった透明電極Ｘ１ａとＹ１ａに対向する部分毎に区画されて、それぞれ方形の放電セルＣが形成されている。
【００３０】
この隔壁６の縦壁６Ａの表示側の面は、嵩上げ誘電体層４Ａを被覆する保護層に当接されておらず（図４および５参照）、その間に隙間ｒが形成されているが、横壁６Ｂの表示側の面が、保護層の嵩上げ誘電体層４Ａを被覆している部分に当接されていて、列方向において隣接する放電セルＣとの間がそれぞれ閉じられている（図３参照）。
【００３１】
放電セルＣに面する隔壁６の縦壁６Ａおよび横壁６Ｂの側面と背面ガラス基板５の表面には、これらの五つの面を全て覆うように蛍光体層７が形成されており、この蛍光体層７の色は、各放電セルＣ毎に赤，緑，青の三原色が行方向に順に並ぶように配列されている。
【００３２】
そして、前面ガラス基板１と背面ガラス基板５の間の放電空間内には、キセノン・ガスを含む放電ガスが封入されている。
【００３３】
次に、行電極Ｘ１，Ｙ１および列電極Ｄ１の形状について、詳述する。
【００３４】
図７は、行電極Ｘ１，Ｙ１のバス電極Ｘ１ｂ，Ｙ１ｂと列電極Ｄ１の列電極本体部Ｄ１ａの互いの交差部分の形状を拡大して示している。
【００３５】
この図７において、バス電極Ｘ１ｂ，Ｙ１ｂは、列電極本体部Ｄ１ａとの交差部分Ｘ１ｂ１，Ｙ１ｂ１が、それぞれ、その幅ａ１が他の部分の幅ａ２よりも小さくなるように括れた形状に成形されている。
【００３６】
列電極本体部Ｄ１ａも、同様に、バス電極Ｘ１ｂ，Ｙ１ｂとの交差部分Ｄ１ａ１が、それぞれ、その幅ｂ１が他の部分の幅ｂ２よりも小さくなるように括れた形状に成形されている。
【００３７】
このＰＤＰにおける画像形成は、以下のようにして行われる。
すなわち、一斉リセット期間の後のアドレス期間において、行電極Ｙ１に走査パルスが印加されるとともに、列電極Ｄ１に映像信号の表示データに対応したデータ・パルスが印加されて、選択的に、この列電極Ｄ１の列電極放電部Ｄ１ｂと走査パルスが印加された行電極Ｙ１の透明電極Ｙ１ａとの間でアドレス放電が発生され、これによって、パネル面に、第１誘電体層３および第２誘電体層４に壁電荷が形成された放電セル（発光セル）Ｃと、壁電荷が形成されていない放電セル（非発光セル）Ｃとが分布される。
【００３８】
この後、次のサステイン期間において、行電極Ｘ１とＹ１にサステイン・パルスが印加され、第１誘電体層３および第２誘電体層４に壁電荷が形成されている発光セルＣ内において、行電極Ｘ１とＹ１の放電ギャップｇを介して互いに対向する透明電極Ｘ１ａとＹ１ａの間でサステイン放電が発生される。
【００３９】
そして、このサステイン放電によって放電ガス中のキセノン・ガスから真空紫外線が放射され、赤，緑，青に色分けされている蛍光体層７が励起されて発光することにより、マトリクス表示による画像形成が行われる。
【００４０】
ここで、上記ＰＤＰは、バス電極Ｘ１ｂ，Ｙ１ｂの交差部分Ｘ１ｂ１，Ｙ１ｂ１の幅ａ１が他の部分の幅ａ２よりも小さくなっており、列電極本体部Ｄ１ａの交差部分Ｄ１ａ１の幅ｂ１が他の部分の幅ｂ２よりも小さくなっていることによって、バス電極Ｘ１ｂ，Ｙ１ｂと列電極本体部Ｄ１ａに放電発生のための電圧が印加された際に、このバス電極Ｘ１ｂ，Ｙ１ｂと列電極本体部Ｄ１ａとの交差部分においてバス電極Ｘ１ｂ，Ｙ１ｂと列電極本体部Ｄ１ａとの間にそれぞれ形成される静電容量が、バス電極および列電極本体部の幅がそれぞれ全長に亘って同じ幅になるように形成されている従来のＰＤＰの場合に比べて、大幅に小さくなる。
【００４１】
したがって、アドレス期間において行電極Ｙ１に走査パルスが印加され列電極Ｄ１にデータ・パルスが印加されてアドレス放電が発生される際に、バス電極Ｙ１ｂと列電極本体部Ｄ１ａの交差部分に形成される静電容量によって発生する無効電力が、従来のＰＤＰに比べて大幅に減少し、これによって、消費電力が低減される。
【００４２】
さらに、サステイン期間において行電極Ｘ１とＹ１に交互にサステイン・パルスが印加されてサステイン放電が発生される際に、バス電極Ｘ１ｂ，Ｙ１ｂと列電極本体部Ｄ１ａの交差部分に集中して電界が形成されるのが防止されて、透明電極Ｘ１ａとＹ１ａ間に十分な電界が形成されるようになるので、サステイン放電の放電開始電圧が上昇するのが防止される。
【００４３】
なお、バス電極と列電極本体部の交差部分に形成される静電容量を減少させるためには、バス電極と列電極本体部をその全体の幅がそれぞれ小さくなるように形成することも考えられるが、この場合には、電極の全体の幅が小さくなることによって電極の抵抗が増加して、波形鈍りを引き起こしたり熱損失が増加するといった問題が発生する。
【００４４】
上記ＰＤＰは、バス電極Ｘ１ｂ，Ｙ１ｂの交差部分Ｘ１ｂ１，Ｙ１ｂ１と列電極本体部Ｄ１ａの交差部分Ｄ１ａ１のみがそれぞれ他の部分よりも幅が小さくなっていることにより、電極の抵抗の増加が抑えられて、高効率の放電を行うことが出来る。
【００４５】
なお、上記においては、行電極が誘電体層内の前面ガラス基板側に近接した平面内に位置するように配置され、列電極が放電空間側に近接した平面内に位置するように配置されている例が示されているが、この発明は、列電極が誘電体層内の前面ガラス基板側に近接した平面内に位置するように配置され、行電極が放電空間側に近接した平面内に位置するように配置されたＰＤＰについても適用することが出来る。
【００４６】
さらに、上記においては、行電極が行方向に延びるバス電極とこのバス電極から列方向に突出する透明電極とによって構成され、列電極が列方向に延びる列電極本体部とこの列電極本体部から行方向に延びる列電極放電部とによって構成されている例が示されているが、この発明は、行電極と列電極の双方または一方が行方向または列方向に延びる帯状の本体部分のみによって構成されているＰＤＰについても適用することが出来る。
【実施例２】
【００４７】
図８は、この発明によるＰＤＰの実施形態の第２実施例における行電極のバス電極と列電極の列電極本体部の交差部分のそれぞれの形状を拡大して示している。
【００４８】
この図８において、バス電極Ｘ２ｂ，Ｙ２ｂは、列電極本体部Ｄ２ａとの交差部分Ｘ２ｂ１，Ｙ２ｂ１の中央部に、それぞれスリットＸ２ｂ２，Ｙ２ｂ２が形成されており、それぞれ、交差部分Ｘ２ｂ１，Ｙ２ｂ１におけるスリットＸ２ｂ２，Ｙ２ｂ２の両側の部分の幅ａ３の合計（ａ３×２）が、他の部分の幅ａ２よりも小さくなっている。
【００４９】
列電極本体部Ｄ２ａも、同様に、バス電極Ｘ２ｂ，Ｙ２ｂとの交差部分Ｄ２ａ１の中央部にスリットＤ２ａ２が形成されており、この交差部分Ｄ２ａ１におけるスリットＤ２ａ２の両側の部分の幅ｂ３の合計（ｂ３×２）が、他の部分の幅ｂ４よりも小さくなっている。
【００５０】
ＰＤＰの他の部分の構成は、前述した第１実施例のＰＤＰと同様である。
【００５１】
上記ＰＤＰは、バス電極Ｘ２ｂ，Ｙ２ｂの交差部分Ｘ２ｂ１，Ｙ２ｂ１の幅（ａ３×２）が他の部分の幅ａ４よりも小さくなっており、列電極本体部Ｄ２ａの交差部分Ｄ２ａ１の幅（ｂ３×２）が他の部分の幅ｂ４よりも小さくなっていることによって、バス電極Ｘ２ｂ，Ｙ２ｂと列電極本体部Ｄ２ａに放電発生のための電圧が印加された際に、このバス電極Ｘ２ｂ，Ｙ２ｂと列電極本体部Ｄ２ａとの交差部分においてバス電極Ｘ２ｂ，Ｙ２ｂと列電極本体部Ｄ２ａとの間にそれぞれ形成される静電容量が、バス電極および列電極本体部の幅がそれぞれ全長に亘って同じ幅になるように形成されている従来のＰＤＰの場合に比べて、大幅に小さくなる。
【００５２】
したがって、アドレス放電が発生される際に、バス電極Ｙ２ｂと列電極本体部Ｄ２ａの交差部分に形成される静電容量によって発生する無効電力が、従来のＰＤＰに比べて大幅に減少し、これによって、消費電力が低減される。
【００５３】
さらに、サステイン放電が発生される際に、バス電極Ｘ２ｂ，Ｙ２ｂと列電極本体部Ｄ２ａの交差部分に集中して電界が形成されるのが防止されて、透明電極間に十分な電界が形成されるようになるので、サステイン放電の放電開始電圧が上昇するのが防止される。
【実施例３】
【００５４】
図９は、この発明によるＰＤＰの実施形態の第３実施例における行電極のバス電極と列電極の列電極本体部の交差部分のそれぞれの形状を拡大して示している。
【００５５】
この第３実施例のＰＤＰは、前述した第１実施例のバス電極Ｘ１ｂ，Ｙ１ｂと第２実施例の列電極本体部Ｄ２ａとを組み合わせたものである。
【００５６】
すなわち、図９において、バス電極Ｘ１ｂ，Ｙ１ｂは、列電極本体部Ｄ１ａとの交差部分Ｘ１ｂ１，Ｙ１ｂ１が、それぞれ、その幅ａ１が他の部分の幅ａ２よりも小さくなるように括れた形状に成形されている。
【００５７】
そして、列電極本体部Ｄ２ａは、バス電極Ｘ２ｂ，Ｙ２ｂとの交差部分Ｄ２ａ１の中央部にスリットＤ２ａ２が形成されており、この交差部分Ｄ２ａ１におけるスリットＤ２ａ２の両側の部分の幅ｂ３の合計（ｂ３×２）が、他の部分の幅ｂ４よりも小さくなっている。
【００５８】
ＰＤＰの他の部分の構成は、前述した第１実施例のＰＤＰと同様である。
上記ＰＤＰは、バス電極Ｘ１ｂ，Ｙ１ｂの交差部分Ｘ１ｂ１，Ｙ１ｂ１の幅ａ１が他の部分の幅ａ２よりも小さくなっており、列電極本体部Ｄ２ａの交差部分Ｄ２ａ１の幅（ｂ３×２）が他の部分の幅ｂ４よりも小さくなっていることによって、バス電極Ｘ１ｂ，Ｙ１ｂと列電極本体部Ｄ２ａに放電発生のための電圧が印加された際に、このバス電極Ｘ１ｂ，Ｙ１ｂと列電極本体部Ｄ２ａとの交差部分においてバス電極Ｘ１ｂ，Ｙ１ｂと列電極本体部Ｄ２ａとの間にそれぞれ形成される静電容量が、バス電極および列電極本体部の幅がそれぞれ全長に亘って同じ幅になるように形成されている従来のＰＤＰの場合に比べて、大幅に小さくなる。
【００５９】
したがって、アドレス放電が発生される際に、バス電極Ｙ１ｂと列電極本体部Ｄ２ａの交差部分に形成される静電容量によって発生する無効電力が、従来のＰＤＰに比べて大幅に減少し、これによって、消費電力が低減される。
【００６０】
さらに、サステイン放電が発生される際に、バス電極Ｘ１ｂ，Ｙ１ｂと列電極本体部Ｄ２ａの交差部分に集中して電界が形成されるのが防止されて、透明電極間に十分な電界が形成されるようになるので、サステイン放電の放電開始電圧が上昇するのが防止される。
【００６１】
なお、上記においては、バス電極をその列電極本体部との交差部分の幅が他の部分よりも狭い括れた形状に成形し、列電極本体部のバス電極との交差部分にスリットを形成した例について説明を行ったが、これと反対に、バス電極の列電極本体部との交差部分にスリットを形成し、列電極本体部Ｄａをそのバス電極との交差部分の幅が他の部分よりも狭い括れた形状に成形するようにしても良い。
【実施例４】
【００６２】
図１０は、この発明によるＰＤＰの実施形態の第４実施例における行電極のバス電極と列電極の列電極本体部の交差部分のそれぞれの形状を拡大して示している。
【００６３】
前述した第１実施例のバス電極と列電極本体部の交差部分の双方がそれぞれ括れた形状に成形されていたのに対し、この第４実施例のＰＤＰは、バス電極Ｘ３ｂ，Ｙ３ｂが、そのほぼ全長に亘って同じ幅ａ２に成形されており、列電極本体部Ｄ１ａが、そのバス電極Ｘ３ｂ，Ｙ３ｂとのそれぞれの交差部分Ｄ１ａ１の幅ｂ１が他の部分の幅ｂ２よりも小さくなるように括れた形状に成形されている。
【００６４】
ＰＤＰの他の部分の構成は、前述した第１実施例のＰＤＰと同様である。
上記ＰＤＰは、列電極本体部Ｄ１ａのバス電極Ｘ３ｂ，Ｙ３ｂとのそれぞれの交差部分Ｄ１ａ１の幅ｂ１が他の部分の幅ｂ２よりも小さくなっていることによって、バス電極Ｘ３ｂ，Ｙ３ｂと列電極本体部Ｄ１ａに放電発生のための電圧が印加された際に、このバス電極Ｘ３ｂ，Ｙ３ｂと列電極本体部Ｄ１ａとの交差部分においてバス電極Ｘ３ｂ，Ｙ３ｂと列電極本体部Ｄ１ａとの間にそれぞれ形成される静電容量が、列電極本体部の幅が全長に亘って同じ幅になるように形成されている従来のＰＤＰの場合に比べて、大幅に小さくなる。
【００６５】
したがって、アドレス放電が発生される際に、バス電極Ｙ３ｂと列電極本体部Ｄ１ａの交差部分に形成される静電容量によって発生する無効電力が、従来のＰＤＰに比べて大幅に減少し、これによって、消費電力が低減される。
【００６６】
さらに、サステイン放電が発生される際に、バス電極Ｘ３ｂ，Ｙ３ｂと列電極本体部Ｄ１ａの交差部分に集中して電界が形成されるのが防止されて、透明電極間に十分な電界が形成されるようになるので、サステイン放電の放電開始電圧が上昇するのが防止される。
【実施例５】
【００６７】
図１１は、この発明によるＰＤＰの実施形態の第５実施例における行電極のバス電極と列電極の列電極本体部の交差部分のそれぞれの形状を拡大して示している。
【００６８】
前述した第１実施例のバス電極と列電極本体部の交差部分の双方がそれぞれ括れた形状に成形されていたのに対し、この第５実施例のＰＤＰは、バス電極Ｘ１ｂ，Ｙ１ｂが、その列電極本体部Ｄ３ａとの交差部分Ｘ１ｂ１，Ｙ１ｂ１が、それぞれ、その幅ａ１が他の部分の幅ａ２よりも小さくなるように括れた形状に成形されており、列電極本体部Ｄ３ａが、そのほぼ全長に亘って同じ幅ｂ２に成形されている。
【００６９】
ＰＤＰの他の部分の構成は、前述した第１実施例のＰＤＰと同様である。
【００７０】
上記ＰＤＰは、バス電極Ｘ１ｂ，Ｙ１ｂの列電極本体部Ｄ３ａとのそれぞれの交差部分Ｘ１ｂ１，Ｙ１ｂ１の幅ａ１が他の部分の幅ａ２よりも小さくなっていることによって、バス電極Ｘ１ｂ，Ｙ１ｂと列電極本体部Ｄ３ａに放電発生のための電圧が印加された際に、このバス電極Ｘ１ｂ，Ｙ１ｂと列電極本体部Ｄ３ａとの交差部分においてバス電極Ｘ１ｂ，Ｙ１ｂと列電極本体部Ｄ３ａとの間にそれぞれ形成される静電容量が、バス電極の幅がそれぞれ全長に亘って同じ幅になるように形成されている従来のＰＤＰの場合に比べて、大幅に小さくなる。
【００７１】
したがって、アドレス放電が発生される際に、バス電極Ｙ１ｂと列電極本体部Ｄ３ａの交差部分に形成される静電容量によって発生する無効電力が、従来のＰＤＰに比べて大幅に減少し、これによって、消費電力が低減される。
【００７２】
さらに、サステイン放電が発生される際に、バス電極Ｘ１ｂ，Ｙ１ｂと列電極本体部Ｄ３ａの交差部分に集中して電界が形成されるのが防止されて、透明電極間に十分な電界が形成されるようになるので、サステイン放電の放電開始電圧が上昇するのが防止される。
【図面の簡単な説明】
【００７３】
【図１】ＰＤＰの従来例を示す正面図である。
【図２】この発明によるＰＤＰの実施形態における第１実施例を示す正面図である。
【図３】図２のＶ１−Ｖ１線における断面図である。
【図４】図２のＶ２−Ｖ２線における断面図である。
【図５】図２のＷ−Ｗ線における断面図である。
【図６】同実施例の前面ガラス基板側の構成を示す斜視図である。
【図７】同実施例のバス電極と列電極本体部の交差部分を示す部分拡大図である。
【図８】この発明によるＰＤＰの実施形態における第２実施例を示す部分拡大図である。
【図９】この発明によるＰＤＰの実施形態における第３実施例を示す部分拡大図である。
【図１０】この発明によるＰＤＰの実施形態における第４実施例を示す部分拡大図である。
【図１１】この発明によるＰＤＰの実施形態における第５実施例を示す部分拡大図である。
【符号の説明】
【００７４】
１                  …前面ガラス基板（一方の基板）
３                  …第１誘電体層
４                  …第２誘電体層
Ｃ                  …放電セル（単位発光領域）
Ｄ１                …列電極
Ｄ１ａ，Ｄ２ａ，Ｄ３ａ
…列電極本体部（列電極）
Ｄ１ａ１，Ｄ２ａ１  …交差部分
Ｄ２ａ２            …スリット
Ｄ１ｂ              …列電極放電部
Ｘ１，Ｙ１          …行電極
Ｘ１ａ，Ｙ１ａ      …透明電極（行電極放電部）
Ｘ１ｂ，Ｙ１ｂ，Ｘ２ｂ，Ｙ２ｂ，Ｘ３ｂ，Ｙ３ｂ
…バス電極（行電極本体部，行電極）
Ｘ１ｂ１，Ｙ１ｂ１，Ｘ２ｂ１，Ｙ２ｂ１
…交差部分
Ｘ２ｂ２，Ｙ２ｂ２  …スリット
ｇ                  …放電ギャップ
【図１】
2006294461.tif 000003
【図２】
2006294461.tif 000004
【図３】
2006294461.tif 000005
【図４】
2006294461.tif 000006
【図５】
2006294461.tif 000007
【図６】
2006294461.tif 000008
【図７】
2006294461.tif 000009
【図８】
2006294461.tif 000010
【図９】
2006294461.tif 000011
【図１０】
2006294461.tif 000012
【図１１】
2006294461.tif 000013